(57)【要約】【課題】吐水口から吐水される水の流量調整および水温調整の操作性を向上し、操作者の使い勝手を向上することができる給水装置を提供すること。【解決手段】吐水口５から吐水される水の流量や水温は、各種選択ボタン１２〜１４，１６〜１８の操作により変更でき、更に、「中」ボタン１３及び「湯」ボタン１７が操作された後に調整ボタン１５、１９が操作されると、所定の範囲内で流量および水温を変更できるので、操作者が所望する流量や水温を細かく調整することができる。また、調整ボタン１５，１９の操作により調整可能となる範囲は予め定められているので、各種選択ボタン１２〜１４，１６〜１８のうち操作したボタンと調整ボタン１５，１９の操作回数とを操作者に認識し易くでき、次に、所望する流量や水温を設定する場合の操作が簡単になり、操作者の使い勝手を向上できる。【選択図】図１
2010013834.tif 000002
【特許請求の範囲】
【請求項１】
吐水口から吐水される水の流量または水温を変化させる調整弁と、その調整弁を駆動して前記吐水口から吐水される水の流量または水温を調整可能な制御手段とを備えた給水装置において、
前記吐水口から吐水される水の流量または水温を、それぞれ異なる流量または水温に設定する複数の選択ボタンと、
その複数の選択ボタンの少なくとも１つに連係して操作され、その連係する選択ボタンに対応する範囲内で、前記吐水口から吐水される水の流量または水温を調整可能な調整ボタンとを備え、
前記制御手段は、前記選択ボタンの操作により設定された流量または水温、或いは、前記調整ボタンの操作により調整された流量または水温に応じて前記調整弁を駆動して、前記吐水口から吐水される水の流量または水温を調整するものであることを特徴とする給水装置。
【請求項２】
前記選択ボタン又は調整ボタンの操作により調整された流量または水温を記憶する第１の記憶手段を備え、
前記制御手段は、前記吐水口から水の吐水が開始される場合に、前記第１の記憶手段に記憶されている流量または水温に応じて前記調整弁を駆動して、前記吐水口から吐水される水の流量または水温を調整するものであることを特徴とする請求項１記載の給水装置。
【請求項３】
前記複数の選択ボタンは、前記吐水口から吐水される水の流量または水温が最も少ない流量または最も低い水温に設定される第１ボタン、或いは、前記吐水口から吐水される水の流量または水温が最も多い流量または最も高い水温に設定される第３ボタンの少なくとも一方のボタンと、前記吐水口から吐水される水の流量または水温が前記第１又は第３ボタンの少なくとも一方のボタンとは異なる流量または水温に設定される第２ボタンとを有して構成され、
前記調整ボタンは、前記第２ボタンに連係して操作可能に構成されていることを特徴とする請求項１又は２に記載の給水装置。
【請求項４】
前記調整ボタンは、前記第２ボタンに隣接されていることを特徴とする請求項３記載の給水装置。
【請求項５】
前記第２ボタンに連係して前記調整ボタンが操作され、前記吐水口から吐水される水の流量または水温が調整された場合に、その調整された流量または水温を記憶する第２の記憶手段を備え、
前記制御手段は、前記第２ボタンが操作されると、前記第２の記憶手段に記憶された流量または水温に応じて前記調整弁を駆動して、前記吐水口から吐水される水の流量または水温を調整するものであることを特徴とする請求項３又は４に記載の給水装置。
【請求項６】
前記複数の選択ボタンは、前記吐水口から吐水される水の流量または水温が最も多い流量または最も高い水温に設定される第３ボタンと、前記吐水口から吐水される水の流量または水温が前記第３ボタンよりも少ない流量または低い水温に設定される第２ボタンとを少なくとも有して構成され、
前記制御手段は、前記吐水口から水の吐水が開始される場合に、前記第３ボタンに対応する範囲内の流量または水温が前記第１の記憶手段に記憶されていると、前記第２ボタンに対応する範囲内の流量または水温に応じて前記調整弁を駆動して、前記吐水口から吐水される水の流量または水温を調整するものであることを特徴とする請求項２記載の給水装置。
【発明の詳細な説明】
【技術分野】
【０００１】
本発明は、給水装置に関し、特に、吐水口から吐水される水の流量調整および水温調整の操作性を向上し、操作者の使い勝手を向上することができる給水装置に関するものである。
【背景技術】
【０００２】
特開２００６−１３２０９７号公報（以下「特許文献１」と称す）には、吐水する水の流量を調整するボタン（「少・中・多」の３つのボタン）と、水温を調整するボタン（「低温・中温・高温」の３つのボタン）とが操作部に設けられ、そのボタンの操作に応じた流量および水温で水が吐水される吐水制御システムが開示されている。
【０００３】
上記特許文献１は、吐水される水の流量を「少・中・多」の中から選択できると共に、吐水される水の水温を「低温・中温・高温」の中から選択できるので、吐水される水の流量や水温を大まかに調整できる。しかしながら、吐水される水の流量や水温を微調整できないので、操作者が所望する流量や水温に調整不可能であるという問題点があった。
【０００４】
操作者が所望する流量に調整不可能であるという上記問題点を解決する給水装置としては、特開２０００−４９４６２号公報（以下「特許文献２」と称す）に開示されている。
【０００５】
特許文献２の給水装置は、吐水口から吐水される水の流量を調整する調整弁を備え、その調整弁を制御することで、操作者が所望する流量を調整するものである。具体的には、操作部に設けられた流量ボタンが操作されて吐水口から所定の流量で吐水が開始された状態で、操作部に設けられた調整ボタンが操作されると、その調整ボタンの操作に応じて吐水口から吐水されている流量を微調整するものである。
【特許文献１】特開２００６−１３２０９７号公報
【特許文献２】特開２００３−４９４６２号公報
【発明の開示】
【発明が解決しようとする課題】
【０００６】
しかしながら、特許文献１では、調整ボタンを設けることで、吐水口から吐水される流量を微調整できるが、調整ボタンを複数回に亘って操作した場合には、他の流量ボタンに対応付けされている流量を超えてしまう場合もある。この場合には、吐水口から吐水される流量を操作者が所望する流量に設定できたとしても、どの流量ボタンに対して、どの程度の調整ボタンを操作したのか操作者は把握できない。よって、後日、操作者が前回の流量に調整しようした場合にも、流量ボタン及び調整ボタンの複数回の操作をしなければならず、使い勝手を向上しているとは言えない。
【０００７】
即ち、吐水口から吐水される流量を操作者が所望する流量に設定する場合に、調整ボタンを設け、吐水口から吐水される流量を微調整できるだけでは、操作者の使い勝手を向上できないという問題点がある。
【０００８】
本発明は、上述した問題点を解決するためになされたものであり、吐水口から吐水される水の流量調整および水温調整の操作性を向上し、操作者の使い勝手を向上することができる給水装置を提供することを目的としている。
【課題を解決するための手段】
【０００９】
この目的を達成するために請求項１記載の給水装置は、吐水口から吐水される水の流量または水温を変化させる調整弁と、その調整弁を駆動して前記吐水口から吐水される水の流量または水温を調整可能な制御手段とを備えており、前記吐水口から吐水される水の流量または水温を、それぞれ異なる流量または水温に設定する複数の選択ボタンと、その複数の選択ボタンの少なくとも１つに連係して操作され、その連係する選択ボタンに対応する範囲内で、前記吐水口から吐水される水の流量または水温を調整可能な調整ボタンとを備え、前記制御手段は、前記選択ボタンの操作により設定された流量または水温、或いは、前記調整ボタンの操作により調整された流量または水温に応じて前記調整弁を駆動して、前記吐水口から吐水される水の流量または水温を調整するものである。
【００１０】
なお、選択ボタンにより設定される流量または水温は、予め定めた既定の流量や水温であっても良い。
【００１１】
請求項２記載の給水装置は、請求項１記載の給水装置において、前記選択ボタン又は調整ボタンの操作により調整された流量または水温を記憶する第１の記憶手段を備え、前記制御手段は、前記吐水口から水の吐水が開始される場合に、前記第１の記憶手段に記憶されている流量または水温に応じて前記調整弁を駆動して、前記吐水口から吐水される水の流量または水温を調整するものである。
【００１２】
請求項３記載の給水装置は、請求項１又は２に記載の給水装置において、前記複数の選択ボタンは、前記吐水口から吐水される水の流量または水温が最も少ない流量または最も低い水温に設定される第１ボタン、或いは、前記吐水口から吐水される水の流量または水温が最も多い流量または最も高い水温に設定される第３ボタンの少なくとも一方のボタンと、前記吐水口から吐水される水の流量または水温が前記第１又は第３ボタンの少なくとも一方のボタンとは異なる流量または水温に設定される第２ボタンとを有して構成され、前記調整ボタンは、前記第２ボタンに連係して操作可能に構成されている。
【００１３】
請求項４記載の給水装置は、請求項３記載の給水装置において、前記調整ボタンは、前記第２ボタンに隣接されている。
【００１４】
請求項５記載の給水装置は、請求項３又は４に記載の給水装置において、前記第２ボタンに連係して前記調整ボタンが操作され、前記吐水口から吐水される水の流量または水温が調整された場合に、その調整された流量または水温を記憶する第２の記憶手段を備え、前記制御手段は、前記第２ボタンが操作されると、前記第２の記憶手段に記憶された流量または水温に応じて前記調整弁を駆動して、前記吐水口から吐水される水の流量または水温を調整するものである。
【００１５】
請求項６記載の給水装置は、請求項２記載の給水装置において、前記複数の選択ボタンは、前記吐水口から吐水される水の流量または水温が最も多い流量または最も高い水温に設定される第３ボタンと、前記吐水口から吐水される水の流量または水温が前記第３ボタンよりも少ない流量または低い水温に設定される第２ボタンとを少なくとも有して構成され、前記制御手段は、前記吐水口から水の吐水が開始される場合に、前記第３ボタンに対応する範囲内の流量または水温が前記第１の記憶手段に記憶されていると、前記第２ボタンに対応する範囲内の流量または水温に応じて前記調整弁を駆動して、前記吐水口から吐水される水の流量または水温を調整するものである。
【００１６】
なお、前記複数の選択ボタンは、前記吐水口から吐水される水の流量または水温が最も少ない流量または最も低い水温に設定される第１ボタンと、前記吐水口から吐水される水の流量または水温が前記第１ボタンよりも多い流量または高い水温に設定される第２ボタンとを少なくとも有して構成され、前記制御手段は、前記吐水口から水の吐水が開始される場合に、前記第１ボタンに対応付する範囲の流量または水温が前記第１の記憶手段に記憶されていると、前記第２ボタンに対応する範囲の流量または水温に応じて前記調整弁を駆動して、前記吐水口から吐水される水の流量または水温を調整するものとしても良い。
【発明の効果】
【００１７】
請求項１記載の給水装置によれば、調整弁が制御手段により駆動されて、吐水口から吐水される水の流量または水温が調整される。また、複数の選択ボタンは、それぞれ異なる流量または水温を設定可能であり、１の選択ボタンが操作されると、その操作された選択ボタンに対応する流量または水温が設定され、その設定された流量または水温に応じて調整弁が制御手段により駆動され、吐水口から吐水される水の流量または水温が調整される。さらに、選択ボタンの少なくとも１つに連係して調整ボタンが操作されると、その連係する選択ボタンに対応する範囲内で流量または水温が調整され、その調整された流量または水温に応じて調整弁が制御手段により駆動され、吐水口から吐水される水の流量や水温が調整される。
【００１８】
よって、調整ボタンの操作により調整される流量または水温は、連係して操作された選択ボタンに対応する範囲内になるので、１の選択ボタンが操作されて流量や水温が設定された状態で、調整ボタンが複数回操作されても、他の選択ボタンに対応する範囲の流量や水温になることはない。従って、操作者は、吐水口から吐水される水の流量や水温を所望する流量や水温に調整した場合には、どの選択ボタンに対してどの程度の調整ボタンを操作したのか認識し易くなる。その結果、後日、操作者が前回と同様の流量や水温に調整しようとした場合には、操作すべき選択ボタンや調整ボタンの操作回数を間違えることなく操作でき、操作者による操作回数が減り、使い勝手を向上できるという効果がある。
【００１９】
また、選択ボタンに連係して調整ボタンが操作された場合にのみ調整ボタンにより流量または水温が調整可能なので、調整ボタンに連係しない選択ボタンが操作されていた場合には、調整ボタンの操作により流量や水温が調整されることはない。ここで、吐水口から吐水される水の流量や水温の調整が不要と考えられる流量や水温が存在する。例えば、水のみを吐水する選択ボタン、湯のみを吐水する選択ボタン、少量の水を吐水する選択ボタンや大量の水を吐水する選択ボタンなどは、操作者が使用する目的が明確であり、調整ボタンにより流量や水温を調整する必要があまりない。そこで、調整ボタンによる流量や水温の調整が不要と考えられる選択ボタンを、調整ボタンに連係しないようにすれば、誤って調整ボタンが操作され、所望する流量や水温から変更されてしまうことを防止できるという効果がある。
【００２０】
請求項２記載の給水装置によれば、請求項１記載の給水装置の奏する効果に加え、選択ボタン又は調整ボタンの操作により調整された流量または水温が第１の記憶手段に記憶され、吐水口から水の吐水が開始される場合には、第１の記憶手段に記憶された流量または水温に応じて調整弁が制御手段により駆動されるので、例えば、吐水口からの水を止水した前回の流量または水温から新たな吐水を開始できる。よって、吐水を開始する毎に選択ボタン及び調整ボタンを操作することが不要になり、使い勝手を向上できるという効果がある。
【００２１】
請求項３記載の給水装置によれば、請求項１又は２に記載の給水装置の奏する効果に加え、吐水口から吐水される水の流量または水温が最も少ない流量または最も低い水温に設定される第１ボタン、或いは、吐水口から吐水される水の流量または水温が最も多い流量または最も高い水温に設定される第３ボタンの少なくとも一方のボタンと、吐水口から吐水される水の流量または水温が第１又は第３ボタンの少なくとも一方のボタンとは異なる流量または水温に設定される第２ボタンとを有して構成される複数の選択ボタンのうち、第２ボタンに連係して調整ボタンが操作可能に構成されている。
【００２２】
ここで、吐水口から吐水される水の流量または水温が最も少ない流量または最も低い水温、或いは、最も多い流量または最も高い水温となるのは、水のみを吐水する場合、湯のみを吐水する場合、少量の水を吐水する場合や大量の水を吐水する場合であり、操作者が使用する目的が明確なので、調整ボタンにより流量や水温を調整する必要があまりない。
【００２３】
よって、調整ボタンを第２ボタンに連係して操作可能に構成することで、吐水口から吐水される水の流量や水温の調整が必要と考えられる場合には調整ボタンの操作が有効になる一方、吐水口から吐水される水の流量や水温の調整が不要と考えられる場合には調整ボタンの操作が無効になるので、操作性を向上した給水装置を提供できるという効果がある。
【００２４】
請求項４記載の給水装置によれば、請求項３記載の給水装置の奏する効果に加え、調整ボタンは、第２ボタンに隣接されているので、選択ボタンと、その選択ボタンに連係して操作可能な調整ボタンとの関係を見た目で認識させることができるという効果がある。
【００２５】
請求項５記載の給水装置によれば、請求項３又は４に記載の給水装置の奏する効果に加え、第２ボタンに連係して調整ボタンが操作され、吐水口から吐水される水の流量または水温が調整されると、その調整された流量または水温が第２の記憶手段に記憶される。そして、第２ボタンが操作されると、第２の記憶手段に記憶された流量または水温に応じて調整弁が制御手段により駆動され、吐水口から吐水される水の流量または水温が調整される。よって、第２ボタンが操作されると、吐水口から吐水される水の流量や水温が、操作者の前回の操作により調整された流量や水温になるので、新たに、調整ボタンを操作して所望する流量や水温に調整する作業を省くことができ、更に使い勝手を向上できるという効果がある。
【００２６】
請求項６記載の給水装置によれば、請求項５記載の給水装置の奏する効果に加え、吐水口から吐水される水の流量または水温が最も多い流量または最も高い水温に設定される第３ボタンと、吐水口から吐水される水の流量または水温が第３ボタンよりも少ない流量または低い水温に設定される第２ボタンとを少なくとも有して複数の選択ボタンが構成されている。また、吐水口から水の吐水が開始される場合には、第３ボタンに対応する範囲の流量または水温が第１の記憶手段に記憶されていると、第２ボタンに対応する範囲の流量または水温に応じて調整弁が制御手段により駆動され、吐水口から吐水される水の流量または水温が調整される。
【００２７】
上述した通り、吐水口から吐水される水の流量または水温が、最も多い流量または最も高い水温となるのは、湯のみを吐水する場合または大量の水を吐水する場合が考えられる。例えば、湯のみを吐水する場合には、熱湯が操作者の手に掛かり火傷を負う可能性もあるし、大量の水を吐水する場合には、吐水された水が飛び散って汚れる可能性もある。即ち、操作者の前回の設定の流量や水温で新たな吐水が開始される場合でも、吐水口から吐水される水の流量または水温が、最も多い流量または最も高い水温となる場合には、火傷したり、汚れたりする弊害が生じやすい。
【００２８】
しかし、請求項６記載の給水装置によれば、吐水口から水の吐水が開始される場合に、第３ボタンに対応する範囲の流量または水温が第１の記憶手段に記憶されていると、第２ボタンに対応する範囲の流量または水温に応じて調整弁が制御手段により駆動され、吐水口から吐水される水の流量または水温が調整されるので、上記弊害の発生を抑制できるという効果がある。
【発明を実施するための最良の形態】
【００２９】
以下、本発明の好ましい実施形態について、添付図面を参照して説明する。本実施形態の給水装置１は、吐水口５から吐水される水の流量や水温を選択する各種選択ボタン１２〜１４，１６〜１８と、吐水口５から吐水される水の流量や水温を調整する各種調整ボタン１５，１９とを備え、吐水口５から吐水される水の流量や水温の調整が必要である場合にのみ調整ボタン１５，１９の操作を有効にし、操作者による不要な操作を無くし、使い勝手を向上できるものである。
【００３０】
まず、図１を参照して、給水装置が適用された洗面台１の外観について説明する。図１は、本発明の一実施形態の給水装置が適用された洗面台１の概略を示す図であり、図１（ａ）は、洗面台１の全体を示す斜視図であり、図１（ｂ）は、プレート部材６を拡大した正面図である。なお、図１において、矢印Ｘは、洗面台１の左右方向を示し、矢印Ｙは、洗面台１の奥行き方向を示し、矢印Ｚは、洗面台１の上下方向を示している。
【００３１】
図１（ａ）に示すように、洗面台１は、架台２と、その架台２の上部（図１（ａ）矢印Ｚ方向上側）に設置される洗面カウンタ３と、その洗面カウンタ３の上面（図１（ａ）矢印Ｚ方向上側の面）で且つ洗面台１の奥側（図１（ａ）矢印Ｙ方向奥側）に配置される吐水管４と、その吐水管４の水の出口部分に形成され水が吐水される吐水口５と、洗面カウンタ３の上面で且つ洗面台１の操作者側（図１（ａ）矢印Ｙ方向手前側）に配置されるプレート部材６とを主に有している。
【００３２】
図１（ｂ）に示すように、プレート部材６には、吐水口５からの水（湯）の吐水と止水とを切り替える「出／止」ボタン１１と、吐水口５から吐水される水の流量を選択する流量選択ボタンとしての「小」ボタン１２、「中」ボタン１３及び「大」ボタン１４と、吐水されている水の流量の調整を行う流量調整ボタン１５と、吐水口５から吐水される水の水温を選択する水温選択ボタンとしての「水」ボタン１６、「湯」ボタン１７及び「熱湯」ボタン１８と、吐水されている水温の調整を行う水温調整ボタン１９とが設けられている。
【００３３】
このプレート部材６に設けられた各種ボタン１１〜１９によって、吐水口５からの水の吐水および止水を行ったり、吐水口５から吐水される水の流量や水温を選択したり、吐水されている水の流量や水温を調整したりする。
【００３４】
また、流量選択ボタン１２〜１４は、直線上に隣接して配置されており、その流量選択ボタン１２〜１４のうち、「中」ボタン１３に隣接する位置（図１（ｂ）では「中」ボタン１３の下側）に流量調整ボタン１５が配置されている。これは、本実施形態では、「中」ボタン１３が操作された場合にのみ流量調整ボタン１５が操作有効となり、その旨を見た目で認識可能にさせる為である。
【００３５】
同様に、本実施形態では、「湯」ボタン１７が操作された場合にのみ水温調整ボタン１９が操作有効となるので、水温選択ボタン１６〜１８のうち、「湯」ボタン１７に隣接する位置（図１（ｂ）では「湯」ボタン１７の下側）に水温調整ボタン１９が配置されている。
【００３６】
なお、プレート部材６は、洗面台１とは別体に構成されており、各種ボタン１１〜１９を搭載して１ユニット化されている。よって、プレート部材６は、給水装置を有する他の装置（風呂やトイレなど）に簡単に流用可能となり、コスト低減を図ることもできる。
【００３７】
また、プレート部材６は、洗面台１の操作者側に配置されているので、操作者による各種ボタン１１〜１９の操作性を向上することができ、特に、椅子に座ったままでの操作性が向上する。
【００３８】
次に、図２を参照して、洗面台１の電気的構成について説明する。図２は、洗面台１の上部の概略図と、洗面台１の電気的構成を概略的に示した電気ブロック図である。
【００３９】
まず、洗面台１の架台２の内部構成について説明する。架台２の内部には、主に、制御ボックス２１と、外部から供給される水の流路の開放と遮蔽とを行う吐水弁２２と、その吐水弁２２を通過した水の流量を調整する調整弁２３と、外部から供給される湯の流路の開放と遮蔽とを行う吐水弁２４と、その吐水弁２４を通過した湯の流量を調整する調整弁２５と、水および湯を吐水管４に給水する給水管２６とが設けられている。
【００４０】
制御ボックス２１には、給水装置１の主な制御を行う制御手段としてのマイコン回路３１と、水用の調整弁２３を駆動させる水用調整弁駆動回路３２と、水用の吐水弁２２を駆動させる水用吐水弁駆動回路３３と、湯用の調整弁２５を駆動させる湯用調整弁駆動回路３４と、湯用の吐水弁２４を駆動させる湯用吐水弁駆動回路３５と、コンセント３６から供給される電圧を監視する電圧監視回路３７とが主に設けられている。
【００４１】
マイコン回路３１は、プレート部材６と信号線を介して接続され、各種ボタン１１〜１９の操作信号が入力される。なお、制御ボックス２１に無線通信用の受信部を設け、プレート部材６に無線通信用の送信部を設け、無線通信によって各種ボタン１１〜１９の操作信号がマイコン回路３１に入力されるように構成しても良い。
【００４２】
また、マイコン回路３１は、各駆動回路３２〜３５と、電源監視回路３７とそれぞれ電気的に接続され、更に、各駆動回路３２〜３５は、各弁２２〜２５とそれぞれ電気的に接続されている。
【００４３】
マイコン回路３１には、書換不能なメモリ３１ａと、コンセント３６からの電圧の供給が遮断された後にも記憶内容を保持可能であると共に書換可能であるフラッシュメモリ３１ｂとが設けられている。
【００４４】
メモリ３１ａには、吐水口５から吐水される水の流量を設定したり調整する場合に参照される流量調整テーブル３１ａ１と、吐水口５から吐水される水の水温を設定したり調整する場合に参照される水温調整テーブル３１ａ２とが予め設けられている。この流量調整テーブル３１ａ１及び水温調整テーブル３１ａ２については、図３を参照して後述する。
【００４５】
フラッシュメモリ３１ｂには、流量・水温調整済データ記憶エリア３１ｂ１と、「中」ボタン１３が操作されたか否かを示す中ボタンフラグ３１ｂ２と、「湯」ボタン１７が操作されたか否かを示す湯ボタンフラグ３１ｂ３とが設けられている。
【００４６】
流量・水温調整済データ記憶エリア３１ｂ１には、操作者により「出／止」ボタン１１が操作されて、吐水口５からの水が止水された場合に、その止水された時点の操作者により調整された流量や水温のデータが記憶される。
【００４７】
マイコン回路３１は、各ボタン１１〜１９の入力、流量調整テーブル３１ａ１、水温調整テーブル３１ａ２、及び流量・水温調整済データ記憶エリア３１ｂ１の流量や水温のデータに基づいて、各種弁２２〜２５を駆動させて吐水口５からの吐水および止水の制御をしたり、吐水口５から吐水される水の流量や水温を調整する制御などを行うものである。
【００４８】
具体的には、吐水口５から所定の流量の水を吐水する場合には、まず、水用調整弁駆動回路３２に対して所定の流量に応じた開量（給水管２６の流路の断面積の大きさ）となるように駆動命令を出力し、その後、水用吐水弁駆動回路３３に対して、給水管２６の流路を開放する駆動命令を出力する。一方、吐水口５からの水を止水する場合には、水用調整弁駆動回路３２に対して開量を初期状態へ戻す駆動命令を出力すると共に、水用吐水弁駆動回路３３に対して、給水管２６の流路を遮蔽する駆動命令を出力する。
【００４９】
なお、吐水口５から所定の流量の湯を吐水する場合の湯用調整弁駆動回路３４及び湯用吐水弁駆動回路３５に対する制御方法は、水のみを吐水する場合の水用調整弁駆動回路３２及び水用吐水弁駆動回路３３の制御方法と同様なので、その説明を省略する。
【００５０】
また、吐水口５から所定の流量で所定の水温の水を吐水する場合には、吐水すべき流量と水温とに基づいて、水と湯の混合比率や調整弁２３，２５の開量をマイコン回路３１により演算し、その演算結果に応じた駆動命令を水用調整弁駆動回路３２及び湯用調整弁駆動回路３４に出力し、その後、水用吐水弁駆動回路３３及び湯用吐水弁駆動回路３５に対して、流路を開放する駆動命令を出力する。
【００５１】
なお、吐水弁２２，２４は、図示しない電磁バルブにより駆動され、給水管２６内の流路を、開放状態と遮蔽状態とに状態を遷移し、吐水状態を吐水中と止水中とに遷移することができる。また、調整弁２３，２５は、図示しないモータなどにより駆動され開量を変更し、流量を調整することができる。
【００５２】
次に、図３を参照して、流量調整テーブル３１ａ１及び水温調整テーブル３１ａ２について説明する。図３（ａ）は、流量調整テーブル３１ａ１を模式的に示した図であり、図３（ｂ）は、水温調整テーブル３１ａ２を模式的に示した図である。
【００５３】
図３（ａ）に示すように、流量調整テーブル３１ａ１は、吐水口５から吐水される流量に対応した値が記憶されており、その範囲は、０．５（リットル／分）〜８（リットル／分）である。
【００５４】
また、流量調整テーブル３１ａ１には、「小」ボタン１２、「中」ボタン１３、「大」ボタン１４が操作された場合に、吐水口５から吐水される流量を設定する既定流量がそれぞれ対応付けされている。この既定流量は、「小」ボタン１２が０．５（リットル／分）で、「中」ボタン１３が３（リットル／分）で、「大」ボタン１４が８（リットル／分）である。
【００５５】
また、「中」ボタン１３には、流量調整ボタン１５により吐水口５から吐水される水の流量を調整可能な調整範囲が対応付けされている。本実施形態では、１（リットル／分）〜６（リットル／分）に構成され、流量調整ボタン１５が操作される毎に、１（リットル／分）〜６（リットル／分）の間で、吐水口５から吐水される流量が変更される。
【００５６】
以上の通り、本実施形態では、流量選択ボタン１２〜１４が操作されると、吐水口５から吐水される水の流量が流量選択ボタン１２〜１４に対応した既定流量となるように、マイコン回路３１により制御される。また、「中」ボタン１３の操作に連係して流量調整ボタン１５が操作されると、その流量調整ボタン１５の操作に応じた流量が吐水口５から吐水されるように、マイコン回路３１により制御される。
【００５７】
図３（ｂ）に示すように、水温調整テーブル３１ａ２は、吐水口５から吐水される水の水温に対応して調整弁２３から給水される水と，調整弁２５から給水される湯との混合比率が記憶されている。なお、水温調整テーブル３１ａ２に水温が直接記憶され、その水温になるようにマイコン回路３１が演算を行い、水と湯との混合比率を設定しても良い。
【００５８】
また、流量調整テーブル３１ａ１には、「水」ボタン１６、「湯」ボタン１７、「熱湯」ボタン１８が操作された場合に、吐水口５から吐水される水の水温を設定する既定比率がそれぞれ対応付けされている。この既定比率は、「水」ボタン１６が水のみ１００パーセント（「１００：０」）で、「湯」ボタン１７が水と湯がそれぞれ５０パーセント（「５０：５０」）で、「熱湯」ボタン１８が湯のみ１００パーセント（「０：１００」）である。
【００５９】
また、「湯」ボタン１７には、水温調整ボタン１９により吐水口５から吐水される水の水温を調整可能な範囲が設けられている。本実施形態では、水が９０パーセントで湯が１０パーセントの比率（「９０：１０」）〜水が１０パーセントで湯が９０パーセントの比率（「１０：９０」）に構成され、水温調整ボタン１９が操作される毎に、「９０：１０」〜「１０：９０」の間で、吐水口５から吐水される水と湯との混合比率が変更され、水温が変更される。
【００６０】
以上の通り、本実施形態では、水温選択ボタン１６〜１８が操作されると、吐水口５から吐水される水の水温（混合比率）が水温選択ボタン１６〜１８に対応した混合比率となるようにマイコン回路３１により制御される。また、「湯」ボタン１７の操作に連係して水温調整ボタン１９が操作されると、その水温調整ボタン１９の操作に応じた水温（混合比率）となる水が吐水口５から吐水されるように、マイコン回路３１により制御される。
【００６１】
次に、図４を参照して、マイコン回路３１により実行される吐止水制御処理について説明する。図４は、マイコン回路３１により実行される吐止水制御処理を示したフローチャートである。
【００６２】
なお、吐止水制御処理は、コンセント３６から電源が供給されている間に繰り返し実行される処理であり、主に、吐水口５からの水の吐水や止水を制御したり、吐水口５から吐水される水の水量や水温を変更する制御を行うものである。
【００６３】
吐止水制御処理が実行されると、まず、「出／止」ボタン１１が操作されたか否かを確認し（Ｓ１）、「出／止」ボタン１１が操作されていれば（Ｓ１：Ｙｅｓ）、既に、吐水口５から水が吐水中であるか否かを確認する（Ｓ２）。
【００６４】
Ｓ２の処理で確認した結果、吐水口５から水が吐水中であれば（Ｓ２：Ｙｅｓ）、次の吐水開始時に現在の調整状態を利用するために、現在の流量および水温の設定を、流量・水温調整済データ記憶エリア３１ｂ１に記憶する（Ｓ３）。
【００６５】
そして、吐水口５からの水を止水するために、水用調整弁駆動回路３２及び湯用調整弁駆動回路３４に対して調整弁２３，２５の開量を初期状態に戻す駆動命令を出力すると共に、水用吐水弁駆動回路３３及び湯用吐水弁駆動回路３５に対して、給水管２６の流路を遮蔽する駆動命令を出力し（Ｓ４）、Ｓ１の処理へ戻る。
【００６６】
一方、Ｓ２の処理で確認した結果、吐水口５からの水が止水中であれば（Ｓ２：Ｎｏ）、Ｓ３の処理で記憶した流量および水温の設定データを、流量・水温調整済データ記憶エリア３１ｂ１から取得し（Ｓ５）、その取得した流量および水温となるように吐水弁２２，２４及び調整弁２３，２５を駆動させる駆動命令を、各駆動回路３２〜３５に出力し（Ｓ６）、Ｓ１の処理へ戻る。
【００６７】
なお、Ｓ５の処理において、流量・水温調整済データ記憶エリア３１ｂ１から流量および水温の設定データを読み出す代わりに、「中」ボタン１３の既定流量および「湯」ボタン１７の既定比率を取得するように構成しても良いし、「中」ボタン１３及び「湯」ボタン１７の調整範囲内の所定の流量および水温を毎回取得するように構成しても良い。
【００６８】
特に、流量・水温調整済データ記憶エリア３１ｂ１に、「小」ボタン１２又は「大」ボタン１４に対応する流量や、「水」ボタン１６又は「熱湯」ボタン１８に対応する水温が記憶されている場合には、「中」ボタン１３の既定流量および「湯」ボタン１７の既定比率、又は、「中」ボタン１３の調整範囲内の流量および「湯」ボタン１７の調整範囲内の既定比率を取得する方が好ましい。
【００６９】
これは、湯のみを吐水する場合には、熱湯が操作者の手に掛かり火傷を負う可能性もあるし、水のみを吐水する場合には、冷水が操作者の手に掛かり驚く可能性もあるし、大量の水を吐水する場合には、吐水された水が飛び散って汚れる可能性もあるし、小量の水を吐水する場合には、汚れが落ちきらない手で再度の各種ボタン１２〜１９の操作が必要となり汚れる可能性もあるからである。
【００７０】
よって、流量・水温調整済データ記憶エリア３１ｂ１に、「小」ボタン１２、「大」ボタン１４、「水」ボタン１６又は「熱湯」ボタン１８に対応する値が記憶されている場合には、「中」ボタン１３の既定流量および「湯」ボタン１７の既定比率、又は、「中」ボタン１３の調整範囲内の流量および「湯」ボタン１７の調整範囲内の既定比率を取得することで、操作者が火傷したり、驚いたり、洗面台１が汚れる可能性を抑制できる。
【００７１】
ここで、図４に戻って説明する。Ｓ１の処理で確認した結果、「出／止」ボタン１１が操作されていなければ（Ｓ１：Ｎｏ）、吐水口５からの水の吐止水を変更する処理を実行しなくて良いので、Ｓ２〜Ｓ６の処理を実行せずに、Ｓ１１の処理へ移行する。
【００７２】
Ｓ１１の処理では、再度、吐水口５からの水が吐水中であるか否かを確認し（Ｓ１１）、吐水中であれば（Ｓ１１：Ｙｅｓ）、流量および水温を調整する処理を実行するためにＳ１２の処理へ以降し、吐水中でなければ（Ｓ１１：Ｎｏ）、Ｓ１２以降の処理を実行する必要がないので、Ｓ１の処理へ戻る。
【００７３】
Ｓ１２の処理では、流量選択ボタン１２〜１４のいずれかが操作されたか否かを確認し（Ｓ１２）、流量選択ボタン１２〜１４のいずれかが操作されていれば（Ｓ１２：Ｙｅｓ）、操作された流量選択ボタン１２〜１４に対応する既定流量を、流量調整テーブル３１ａ１を参照して取得する（Ｓ１３）。
【００７４】
なお、Ｓ１３の処理において、流量選択ボタン１２〜１４のうち「中」ボタン１３が操作された場合には、既定流量ではなく、流量調整ボタン１５により前回設定された流量を取得するように構成しても良い。この構成によれば、吐水口５から吐水される水の流量が前回設定された流量になるので、操作者が所望する流量の可能性が高く、流量調整ボタン１５の操作回数を減らすことができ、使い勝手を向上できる。なお、この構成では、流量調整ボタン１５が操作されて吐水口５から吐水される水の流量が変更される毎に、その変更された流量をフラッシュメモリ３１ｂに記憶するように構成する。
【００７５】
Ｓ１３の処理で、操作された流量選択ボタン１２〜１４に対応した既定流量が取得されると、次に、操作された流量選択ボタンが「中」ボタン１３であるか否かを確認し（Ｓ１４）、操作された流量選択ボタンが「中」ボタン１３であれば（Ｓ１４：Ｙｅｓ）、中ボタンフラグ３１ｂ２をオンし（Ｓ１５）、操作されたボタンが「中」ボタン１３以外であれば（Ｓ１４：Ｎｏ）、中ボタンフラグ３１ｂ２をオフし（Ｓ１６）、Ｓ６の処理へ移行する。
【００７６】
Ｓ６の処理では、Ｓ１３の処理で取得した既定流量となるように、調整弁２３，２５を駆動させる駆動命令を、各駆動回路３２，３４に出力し（Ｓ６）、Ｓ１の処理へ戻る。なお、Ｓ１５又はＳ１６の処理の後に実行されるＳ６の処理では、吐水口５から水が吐水中であるので、吐水弁２２，２４に対しての駆動命令は出力されない。
【００７７】
次に、Ｓ１２の処理で確認した結果、流量選択ボタン１２〜１４のいずれも操作されなかった場合には（Ｓ１２：Ｎｏ）、流量調整ボタン１５が操作されたか否かを確認し（Ｓ１７）、流量調整ボタン１５が操作されていれば（Ｓ１７：Ｙｅｓ）、中ボタンフラグ３１ｂ２がオンであるか否かを確認する（Ｓ１８）。
【００７８】
Ｓ１８の処理で確認した結果、中ボタンフラグ３１ｂ２がオンであれば（Ｓ１８：Ｙｅｓ）、操作された流量調整ボタン１５、即ち、右側に向いた矢印のボタンか、左側に向いた矢印のボタンかに応じた流量を、流量調整テーブル３１ａ１から取得する（Ｓ１９）。
【００７９】
Ｓ１９の処理は、例えば、現在の流量が５．８（リットル／分）である場合に、右側に向いた矢印のボタンが操作されたら、６（リットル／分）を取得し、左側に向いた矢印のボタンが操作されたら、５．６（リットル／分）を取得する。
【００８０】
そして、Ｓ１９の処理で、流量調整ボタン１５の操作に応じた流量を取得したら、その取得した流量となるように、調整弁２３，２５を駆動させる駆動命令を、各駆動回路３２，３４に出力し（Ｓ６）、Ｓ１の処理へ戻る。
【００８１】
なお、流量調整ボタン１５が操作されなかったり（Ｓ１７：Ｎｏ）、流量調整ボタン１５は操作されたが中ボタンフラグ３１ｂ２がオフであれば（Ｓ１８：Ｎｏ）、吐水口５から吐水される水の流量を変更する必要がないので、次に、水温選択ボタン１６〜１８が操作されたか否かを確認する（Ｓ２０）。
【００８２】
Ｓ２０の処理で確認した結果、水温選択ボタン１６〜１８のいずれかが操作されていれば（Ｓ２０：Ｙｅｓ）、操作された水温選択ボタン１６〜１８に対応する既定比率を、水温調整テーブル３１ａ２を参照して取得する（Ｓ２１）。
【００８３】
なお、Ｓ２１の処理において、水温選択ボタン１６〜１８のうち「湯」ボタン１７が操作された場合には、既定比率ではなく、水温調整ボタン１９により前回設定された比率を取得するように構成しても良い。この構成によれば、吐水口５から吐水される水の水温が前回設定された水温になるので、操作者が所望する水温の可能性が高く、水温調整ボタン１９の操作回数を減らすことができ、使い勝手を向上できる。なお、この構成では、水温調整ボタン１９が操作されて吐水口５から吐水される水の水温が変更される毎に、その変更された水温を構成する水と湯との比率をフラッシュメモリ３１ｂに記憶するように構成する。
【００８４】
Ｓ２１の処理で、操作された水温選択ボタン１６〜１８に対応する既定比率を取得すると、次に、操作された水温選択ボタンが「湯」ボタン１７であるか否かを確認し（Ｓ２２）、操作された水温選択ボタンが「湯」ボタン１７であれば（Ｓ２２：Ｙｅｓ）、湯ボタンフラグ３１ｂ３をオンし（Ｓ２３）、操作されたボタンが「湯」ボタン１７以外であれば（Ｓ２２：Ｎｏ）、湯ボタンフラグ３１ｂ３をオフし（Ｓ２４）、Ｓ６の処理へ移行する。
【００８５】
Ｓ６の処理では、Ｓ２１の処理で取得した既定比率となるように、調整弁２３，２５を駆動させる駆動命令を、各駆動回路３２，３４に出力し（Ｓ６）、Ｓ１の処理へ戻る。
【００８６】
次に、Ｓ２０の処理で確認した結果、水温選択ボタン１６〜１８のいずれも操作されなかった場合には（Ｓ２０：Ｎｏ）、水温調整ボタン１９が操作されたか否かを確認し（Ｓ２５）、水温調整ボタン１９が操作されていれば（Ｓ２５：Ｙｅｓ）、湯ボタンフラグ３１ｂ３がオンであるか否かを確認する（Ｓ２６）。
【００８７】
Ｓ２６の処理で確認した結果、湯ボタンフラグ３１ｂ３がオンであれば（Ｓ２６：Ｙｅｓ）、操作された水温調整ボタン１９、即ち、右側に向いた矢印のボタンか、左側に向いた矢印のボタンかに応じた流量を、水温調整テーブル３１ａ２から取得する（Ｓ２７）。
【００８８】
Ｓ２７の処理は、例えば、現在の比率が水８５パーセントで湯が１５パーセントの比率である場合に、右側に向いた矢印のボタンが操作されたら、水８０パーセントで湯が２０パーセントの比率を取得し、左側に向いた矢印のボタンが操作されたら、水９０パーセントで湯１０パーセントの比率を取得する。
【００８９】
そして、Ｓ２７の処理で、水温調整ボタン１９の操作に応じた比率を取得したら、その取得した比率となるように、調整弁２３，２５を駆動させる駆動命令を、各駆動回路３２，３４に出力し（Ｓ６）、Ｓ１の処理へ戻る。
【００９０】
なお、水温調整ボタン１９が操作されなかったり（Ｓ２５：Ｎｏ）、水温調整ボタン１９は操作されたが湯ボタンフラグ３１ｂ３がオフであれば（Ｓ２６：Ｎｏ）、吐水口５から吐水される水の水温を変更する必要がないので、そのまま、Ｓ１の処理へ戻る。
【００９１】
以上、説明したように、吐水口５から吐水される水の流量や水温は、各種選択ボタン１２〜１４，１６〜１８を操作すると、その各種選択ボタン１２〜１４，１６〜１８に対応付けされた既定流量や既定比率（水温）に設定されるので、操作者が所望する流量や水温を大まかに設定することができる。
【００９２】
さらに、「中」ボタン１３及び「湯」ボタン１７が操作された後は、流量調整ボタン１５及び水温調整ボタン１９の操作が有効となり、その調整ボタン１５，１９を操作すると、所定の範囲内で流量および水温を変更できるので、操作者が所望する流量や水温を細かく調整することができる。
【００９３】
また、「中」ボタン１３及び「湯」ボタン１７に連係して操作される調整ボタン１５，１９には、調整が可能となる範囲が設けられているので、例えば、調整ボタン１５，１９を複数回に亘って操作した結果、「小」ボタン１２，「大」ボタン１４に対応付けされた流量および「水」ボタン１６，「熱湯」ボタン１８に対応付けされた水温に達することが無い。よって、操作者は、調整ボタン１５，１９に連係する各種ボタン１２〜１４，１６〜１８のうち操作したボタンを把握でき、更には、調整ボタン１５，１９の操作回数を把握し易くなるので、次に、所望する流量や水温を設定する場合の操作が簡単になり、使い勝手を向上できる。
【００９４】
また、一般的に、吐水口５から吐水される水の流量が少ない場合には、お茶などを冷やす場合に多く使用され、反対に流量が多い場合には、バケツなどに水を溜める場合に多く使用されることから、操作者の使用目的が明確である。この場合は、吐水口５から吐水される水の流量の調整はあまり必要でない。本実施形態では、吐水口５から吐水される流量が中量となる範囲を、流量調整ボタン１５により調整可能に構成しているので、操作者の使用目的に合わせた流量を調整でき、使い勝手を向上できる。
【００９５】
また、一般的に、吐水口５から水のみが吐水される場合や、吐水口５から湯のみが吐水される場合も使用者の使用目的が明確であり、吐水口５から吐水される水の水温の調整はあまり必要でない。本実施形態では、吐水口５から吐水される水温が、水と湯とを混合する範囲を、水温調整ボタン１９により調整可能に構成しているので、操作者の使用目的に合わせた水温を調整でき、使い勝手を向上できる。
【００９６】
また、操作者が調整ボタン１５，１９を操作して調整した流量や水温の設定データは、吐水口５からの水を止水する場合に、流量・水温調整済データ記憶エリア３１ｂ１に記憶され、次に吐水が開始される場合に読み出されて、その読み出された流量と水温の設定データに応じて吐水が開始される。一般的に、通常使用する流量や水温は一定であるので、前回調整した流量や水温により吐水が開始されれば、新たに、操作者が流量や水温を調整する作業が不要となるので、より使い勝手を向上することができる。
【００９７】
次に、図５を参照して、第２及び第３実施形態のプレート部材６について説明する。第２実施形態のプレート部材６は、流量調整用の流量選択ボタンおよび水温調整用の水温選択ボタンの数が、第１実施形態に対して少なく構成されている。また、第３実施形態のプレート部材６は、調整ボタン１５ａ，１９ａが有効となる流量調整用の流量選択ボタンおよび水温調整用の水温選択ボタンの数が、第１実施形態に対して多く構成されている。なお、第１実施形態と同一の部分には、同一の符号を付して、その説明を省略する。
【００９８】
図５（ａ）は、第２実施形態のプレート部材６の正面図を示した図であり、図５（ｂ）は、第３実施形態のプレート部材６の正面図を示した図である。
【００９９】
図５（ａ）に示すように、第２実施形態のプレート部材６には、流量調整用の流量選択ボタンとして「小」ボタン１２の他に、「中・大」ボタン１３ａが設けられている。流量調整ボタン１５は、「中・大」ボタン１３ａに対応する領域に配置されており、その「中・大」ボタン１３ａに連係して流量調整ボタン１５が操作可能に構成されている。
【０１００】
同様に、水温調整用の水温選択ボタンとしては、「水」ボタン１６の他に、「湯・熱湯」ボタン１７ａが設けられており、その「湯・熱湯」ボタン１７ａに対応する領域に水温調整ボタン１９が配置され、その「湯・熱湯」ボタン１７ａに連係して水温調整ボタン１９が操作可能に構成されている。
【０１０１】
なお、第２実施形態の流量調整テーブルとしては、図３に示す流量調整テーブル３１ａ１の「小」ボタン１２の既定流量以外の範囲を、「中・大」ボタン１３ａの調整が可能な範囲とする。また、水温調整テーブルとしては、図３に示す水温調整テーブル３１ａ２の「水」ボタン１６の既定比率以外の範囲を、「湯・熱湯」ボタン１７ａの調整が可能な範囲とする。
【０１０２】
即ち、第２実施形態では、吐水口５から吐水される水の流量は、極端に少ない場合以外を調整可能とし、吐水口５から吐水される水の水温は、水のみ以外を調整可能に構成している。第２実施形態のように、各選択ボタンの数が少ない場合であっても、既定流量および既定比率が対応付けされた選択ボタン１２，１３ａ，１６，１７ａを有し、吐水口５から吐水される流量や水温の調整が必要となる選択ボタン１３ａ，１７ａに連係して調整ボタン１５，１９が操作可能に構成されるので、操作者が所望する流量や水温を大まかに設定できるし、操作者が所望する流量や水温を細かく調整することもできる。
【０１０３】
なお、流量調整用の流量選択ボタンを「小・中」ボタンと「大」ボタンの組み合わせとし、「小・中」ボタンに流量調整ボタン１５を連係させても良いし、水温調整用の水温選択ボタンを「水・湯」ボタンと「熱湯」ボタンの組み合わせとし、「水・湯」ボタンに水温調整ボタン１９を連係させる構成としても良い。
【０１０４】
さらに、流量調整用の流量選択ボタン及び水温調整用の水温選択ボタンの数は、２又は３つに限定されるものではなく、４つ以上に構成しても良い。
【０１０５】
図５（ｂ）に示すように、第３実施形態のプレート部材６には、流量調整用の流量選択ボタン１２〜１４が配置される領域の全域に亘って流量調整ボタン１５ａが配置され、水温調整用の水温選択ボタン１６〜１８が配置される領域の全域に亘って水温調整ボタン１９ａが配置されている。
【０１０６】
これは、第３実施形態が、流量選択ボタン１２〜１４の全てに流量調整ボタン１５ａが連係して操作可能であり、水温選択ボタン１６〜１８の全てに水温調整ボタン１９ａが連係して操作可能に構成されているからである。
【０１０７】
なお、第３実施形態の流量調整テーブルとしては、図３に示す流量調整テーブル３１ａ１の「小」ボタン１２の調整可能な範囲を、０．２，０．５，０．７（リットル／分）など細分化し、「大」ボタン１４の調整可能な範囲を、７，８，９（リットル／分）などに細分化する。
【０１０８】
また、第３実施形態の水温調整テーブルとしては、図３に示す水温調整テーブル３１ａ２の「水」ボタン１６の調整可能な範囲を、「１００：０」、「９５：５」など細分化し、「熱湯」ボタン１８の調整可能な範囲を「０：１００」、「５：９５」に細分化する。
【０１０９】
即ち、第３実施形態では、調整ボタン１５ａ，１９ａは、全ての選択ボタン１２〜１４，１６〜１８の操作に連係して有効となるので、全ての選択ボタン１２〜１４，１６〜１８の既定流量および既定比率（水温）に対して微調整が可能となっている。よって、吐水口５から吐水される水の流量や水温を調整し易くできる。
【０１１０】
さらに、全ての選択ボタン１２〜１４，１６〜１８の操作に連係して調整ボタン１５ａ，１９ａが操作有効になるが、各選択ボタン１２〜１４，１６〜１８には、調整可能な範囲が設けられているので、各選択ボタン１２〜１４，１６〜１８と、その選択ボタン１２〜１４，１６〜１８が操作された後に調整ボタン１５ａ，１９ａを操作した回数との対応関係が把握し易く、次に、吐水口５から吐水される水の流量や水温の調整をする場合の操作を簡単に行うことができる。
【０１１１】
なお、調整ボタン１５ａ，１９ａが連係する選択ボタンの数は、２つであっても良いし、ボタン数が３以上であれば、３以上に構成しても良い。
【０１１２】
次に、図６を参照して、第４実施形態の洗面台１について説明する。第１実施形態の洗面台１は、吐水弁２２，２４と調整弁２３，２５とにより、吐水口５から吐水される水の流量や水温を調整するように構成したが、これに代えて、第４実施形態の洗面台１は、吐水弁２２，２４と、調整弁４１、混合弁４２とにより、吐水口５から吐水される水の流量や水温を調整するように構成した。なお、第１実施形態と同一の部分には、同一の符号を付して、その説明を省略する。
【０１１３】
図６は、第４実施形態の洗面台１の給水経路の概略を示した図である。
【０１１４】
図６に示すように、第４実施形態では、水用の吐水弁２２から給水される水と、湯用の吐水弁２４から給水される湯とが混合弁４２により所定の水温になるように混合され、その後、調整弁４１により所定の流量になるように調整され、吐水口５から吐水される。
【０１１５】
なお、制御ボックス２１内には、図示しないが、第１実施形態と同様に、マイコン回路３１、電圧監視回路３７、水用吐水弁駆動回路３３及び湯用吐水弁駆動回路３５の他に、混合弁駆動回路および調整弁駆動回路が設けられている。
【０１１６】
即ち、第４実施形態では、操作者により各ボタン１２〜１９が操作されると、その操作されたボタンに応じた流量および水温となるように、調整弁４１および混合弁４２がマイコン回路３１により制御されるので、第１実施形態と同様の効果を奏することができる。
【０１１７】
以上、実施形態に基づき本発明を説明したが、本発明は上述した実施の形態になんら限定されるものではなく、本発明の趣旨を逸脱しない範囲内で種々の改良変更が可能であることは容易に推察できるものである。
【０１１８】
例えば、上記各実施形態では、給水装置を洗面台１に適用するものとしたが、他に、風呂（シャワー及び吐水管）に適用しても良いし、トイレ（シャワートイレ）に適用しても良い。
【０１１９】
また、上記各実施形態における流量調整テーブル３１ａ１の既定流量や調整可能な範囲の数値、及び、水温調整テーブル３１ａ２の既定比率や調整可能な範囲の数値は、給水装置の性能に応じて適宜変更可能である。
【０１２０】
また、上記第１実施形態では、吐水弁２２，２４と調整弁２３，２５との組み合わせにより、吐水口５から吐水される流量や水温を調整する構成としたが、水の吐水および止水と流量の変更の機能を有する吐止水調整弁を用いて、吐水口から吐水される流量や水温を調整するように構成しても良い。
【０１２１】
また、プレート部材６に、流量や水温を表示する表示部を設け、各種選択ボタンや調整ボタンが操作された場合には、吐水口５からの水が止水中であっても、設定されている流量や水温を表示部に表示し、各種選択ボタンや調整ボタンの操作により流量や水温を調整可能に構成しても良い。この構成では、吐水口５から水が吐水開始される前に、予め所望する流量や水温を調整できるので、不要に多くの水が吐水されたり、火傷を負おうなどの弊害を抑制できる。
【図面の簡単な説明】
【０１２２】
【図１】本発明の一実施形態の給水装置が適用された洗面台の概略を示す図であり、（ａ）は、洗面台の全体を示す斜視図であり、（ｂ）は、プレート部材を拡大した正面図である。
【図２】洗面カウンタ部分の概略図と、洗面台の電気的構成を概略的に示した電気ブロック図である。
【図３】（ａ）は、流量調整テーブルを模式的に示した図であり、（ｂ）は、水温調整テーブルを模式的に示した図である。
【図４】マイコン回路により実行される吐止水制御処理を示したフローチャートである。
【図５】（ａ）は、第２実施形態のプレート部材の正面図を示した図であり、（ｂ）は、第３実施形態のプレート部材の正面図を示した図である。
【図６】第４実施形態の洗面台の給水経路の概略を示した図である。
【符号の説明】
【０１２３】
１              洗面台（給水装置を含む）
４              吐水管（給水装置の一部）
５              吐水口（給水装置の一部）
６              プレート部材（給水装置の一部）
１２            「小」ボタン（選択ボタン、第１ボタン）
１３            「中」ボタン（選択ボタン、第２ボタン）
１３ａ          「中・大」ボタン（選択ボタン）
１４            「大」ボタン（選択ボタン、第３ボタン）
１５，１５ａ    流量調整ボタン（調整ボタン）
１６            「水」ボタン（選択ボタン、第１ボタン）
１７            「湯」ボタン（選択ボタン、第２ボタン）
１７ａ          「湯・熱湯」ボタン（選択ボタン）
１８            「熱湯」ボタン（選択ボタン、第３ボタン）
１９，１９ａ    水温調整ボタン（調整ボタン）
２１            制御ボックス（給水装置の一部）
２２，２４      吐水弁（調整弁の一部、給水装置の一部）
２３，２５      調整弁（給水装置の一部）
２６            給水管（給水装置の一部）
３１            マイコン回路（制御手段の一部、給水装置の一部）
３１ａ１        流量調整テーブル
３１ａ２        水温調整テーブル
３１ｂ          フラッシュメモリ（第２の記憶手段）
３１ｂ１        流量・水温調整済データ記憶エリア（第１の記憶手段）
３２〜３５      駆動回路（制御手段の一部、給水装置の一部）
３６            コンセント（給水装置の一部）
３７            電圧監視回路（給水装置の一部）
４１            調整弁（給水装置の一部）
４２            混合弁（調整弁の一部、給水装置の一部）
【図１】
2010013834.tif 000003
【図２】
2010013834.tif 000004
【図３】
2010013834.tif 000005
【図４】
2010013834.tif 000006
【図５】
2010013834.tif 000007
【図６】
2010013834.tif 000008